(57)【要約】【課題】従来の商品陳列用フックは、商品の補充作業が煩わしいという問題点や、構造が複雑で大型であるなどの問題点があった。【解決手段】所定の構造体Ａに装着して水平に張り出す固定杆１と、固定杆１の外側に同軸状に装着して軸線方向に往復動自在な可動杆２を備え、可動杆２に商品Ｃを吊下げる商品陳列用フックＨ１としたことで、構造が簡単なものとなり、低コストで得ることができる。また、商品Ｃを補充する場合には、可動杆２とともに陳列商品Ｃを引き出すことができるので、商品Ｃの補充や交換をきわめて容易に行うことができる。【選択図】図１
2010042154.tif 000002
【特許請求の範囲】
【請求項１】
所定の構造体に装着して水平に張り出す固定杆と、固定杆の外側に同軸状に装着して軸線方向に往復動自在な可動杆を備え、可動杆に商品を吊下げることを特徴とする商品陳列用フック。
【請求項２】
固定杆に対して可動杆の軸線回りの回転を阻止する回転規制手段を備えたことを特徴とする請求項１に記載の商品陳列用フック。
【請求項３】
固定杆に対して可動杆の前進限を決定する前進規制手段を備えたことを特徴とする請求項１又は２に記載の商品陳列用フック。
【請求項４】
可動杆の基端部に、商品の後方移動を阻止するストッパを備えたことを特徴とする請求項１〜３のいずれか１項に記載の商品陳列用フック。
【発明の詳細な説明】
【技術分野】
【０００１】
本発明は、枠体やボード等の各種構造物に装着して、複数の商品を吊下げて陳列するのに用いられる商品陳列用フックに関するものである。
【背景技術】
【０００２】
商品陳列用フックは、商店等における所定の構造体に装着し、複数の商品を吊下げて陳列するものであって、構造体の竪の面に多数配置することで、限られたスペースに多種類の商品を陳列することができる。
【０００３】
ところで、この種の商品陳列用フックでは、隣接する商品同士の間隔が小さい場合、商品が減ってくると隣接する別の商品に隠れてしまうことがある。そこで、従来の商品陳列用フックには、構造体に装着する主杆の先端部に継杆を着脱自在に設け、陳列商品の背後に新たな商品を補充できるようにしたもの（特許文献１）や、ばねにより前方に付勢された押し板を備え、この押し板で陳列商品を常に前方に押出すようにしたもの（特許文献２）などがあった。
【特許文献１】特開平１１−０４６９４２号公報
【特許文献２】特開平０９−２３８７９１号公報
【発明の開示】
【発明が解決しようとする課題】
【０００４】
しかしながら、上記したような従来の商品陳列用フックにおいて、主杆の先端部に継杆を着脱自在に設けたものでは、主杆が陳列商品の奥に位置するので、周囲の陳列商品をかき分けて商品を補充することとなり、補充作業が煩わしいという問題点があった。
【０００５】
また、従来の商品陳列用フックにおいて、ばねにより付勢された押し板を備えたものでは、構造が複雑で且つ大型になり、それ自体が余分なスペースを占有してしまうほかに、製造コストが嵩むなどの問題点があり、これらの問題点を解決することが課題であった。
【０００６】
本発明は、上記従来の課題に着目して成されたもので、構造が簡単であるうえに、商品の補充に容易に対処できる商品陳列用フックを提供することを目的としている。
【課題を解決するための手段】
【０００７】
本発明の商品陳列用フックは、所定の構造体に装着して水平に張り出す固定杆と、固定杆の外側に同軸状に装着して軸線方向に往復動自在な可動杆を備え、可動杆に商品を吊下げる構成としており、上記構成をもって従来の課題を解決するための手段としている。
【発明の効果】
【０００８】
本発明の商品陳列用フックは、固定杆及び可動杆による簡単な構造であって、低コストで得ることができると共に、商品を補充する場合には、可動杆とともに陳列商品を引き出すことができるので、商品の補充や交換をきわめて容易に行うことができる。
【発明を実施するための最良の形態】
【０００９】
図１は、本発明の商品陳列用フックの一実施形態を説明する図である。図１（ａ）及び（ｄ）に示す商品陳列用フックＨ１は、所定の構造体Ａ１に装着して水平に張り出す固定杆１と、固定杆１の外側に同軸状に装着して軸線方向に往復動自在な可動杆２を備え、可動杆２に商品Ｃを吊下げる。この実施形態の構造体Ａ１は、フック装着用の横桟Ｂを多段に有するものである。
【００１０】
固定杆１は、丸棒状の部材から成るもので、その基端部（図中で右側の端部）に、下向きに開放した取付具Ｄ１を有しており、取付具Ｄ１を構造体Ａ１の横桟Ｂに嵌合する。また、固定杆１は、先端部下側に突部４が形成してある。この実施形態の突部４は、商品Ｃの移動を妨げないように半円形を成している。
【００１１】
可動杆２は、図１（ｃ）に断面を示すように、固定杆１を摺動自在に挿入する軸孔５を有すると共に、軸線方向にわたってスリット６を形成した中空状の棒部材である。また、可動杆２は、基端部に、商品Ｃの後方移動を阻止する鍔状のストッパ７が装着してあると共に、先端部に、図１（ｂ）に示す先端部材８が装着してある。
【００１２】
先端部材８は、商品Ｃの脱落を防ぐために上向きに屈曲していると共に、可動杆２の先端部内側に対応する一対の取付片９，９を有し、両取付片９，９には、互いに相反する面に、小突起１０，１０が形成してある。これに対して、可動杆２の先端部両側には、一対の小孔１１，１１が形成してある。
【００１３】
上記の先端部材８は、可動杆２の先端部内側に両取付片９，９を弾性的に嵌合すると共に、各取付片９の小突起１１を可動杆２の小孔１２に夫々嵌合させることで、可動杆２の先端部に固定する。
【００１４】
そして、可動杆２は、固定杆１の外側に同軸状に装着して軸線方向に摺動自在となり、この際、スリット６内に固定杆１の突部４が入り込んだ状態となる。また、この実施形態では、突部４とスリット６が、固定杆１に対して可動杆２の軸線回りの回転を阻止する回転規制手段を構成しており、さらに、突部４とストッパ７が、固定杆１に対して可動杆２の前進限を決定する前進規制手段を構成している。
【００１５】
上記構成を備えた商品陳列用フックＨ１は、図１（ｅ）に示すように、固定杆１の突部４と先端部材８とが当接して可動杆２の後退限を決定し、可動杆２に複数の商品Ｃを吊下げた状態で陳列している。
【００１６】
また、実際の構造体Ａ１では、複数の商品陳列用フックＨ１を上下左右に配置し、多種類の商品を陳列することとなる。なお、商品Ｃは、図１（ｄ）に示すように、上端部に、側方に開放されたＣ字形状の掛止部Ｅを有するものであるが、掛止部が穴であっても良い。
【００１７】
さらに、商品陳列用フックＨ１は、陳列商品Ｃが減って補充が必要になったときには、図１（ｅ）に仮想線で示すように、可動杆２を引き出せば良い。この際、可動杆２は、突部４とスリット６との係合により軸線方向に案内されると共に、軸線回りの回転が阻止される。そして、可動杆２は、突部４とストッパ７との当接により前進限が決定され、これと同時に固定杆１からの脱落が防止される。
【００１８】
商品陳列用フックＨ１は、上記の如く可動杆２を引き出すだけで、その可動杆２及び陳列商品Ｃが隣接する陳列商品群から突出した状態となり、新たな商品Ｃの補充を容易に行うことができる。また、図示例のようにＣ字形状の掛止部Ｅを有する商品Ｃであれば、陳列商品Ｃを外さなくても、それらの背後に商品Ｃを補充することができる。
【００１９】
このように、商品陳列用フックＨ１は、主として固定杆１及び可動杆２による簡単な構造であって、低コストで得ることができる。そして、商品Ｃを補充する場合には、可動杆２とともに陳列商品Ｃを引き出すことができるので、商品Ｃの補充や交換をきわめて容易に行うことができる。
【００２０】
また、商品陳列用フックＨ１は、突部４及びスリット６から成る回転規制手段を備えているので、可動杆２の軸線回りの回転を阻止して、商品Ｃを吊下げた可動杆２の移動をより円滑に且つ安定させることができる。
【００２１】
さらに、商品陳列用フックＨ１は、突部４及びストッパ７から成る前進規制手段を備えているので、可動杆２を引き出した際の脱落を未然に防止することができ、商品Ｃの補充や交換の作業も行い易くなる。
【００２２】
そしてさらに、商品陳列用フックＨ１は、商品Ｃの後方移動を阻止するストッパ７を備えているので、可動杆２を引き出した際に、商品Ｃが固定杆１側に移動して残るような事態を防止して、可動杆２とともに全ての商品Ｃを引き出すことができる。
【００２３】
図２は、本発明の商品陳列用フックの他の実施形態を説明する図である。なお、先の実施形態と同一の構成部位は、同一符号を付して詳細な説明を省略する。
【００２４】
図示の商品陳列用フックＨ２は、竪桟Ｂ１及び横桟Ｂ２から成る格子状の構造体Ａ２に装着するものであって、先の実施形態と同等の固定杆１や可動杆２を備えており、構造体Ａ２への取付具Ｄ２のみが異なる。
【００２５】
すなわち、図示の取付具Ｄ２は、細い金属棒から成るものであって、Ｕ字形状に曲成した本体部１３と、本体部１３の中間に掛け渡した支持部１４を備え、本体部１３の上部両側に、背面側へ下向きに折り曲げた係止部１５，１５を有している。これに対して、固定杆１の基端部には、下方へ折り曲げた結合部１Ａが設けてある。そして、取付具Ｄ２は、支持部１４の背面側及び本体部１３の下部正面側に、固定杆１の結合部１Ａを係合して同結合部１Ａを溶接等で固定する。
【００２６】
上記の取付具Ｄ２を備えた商品陳列用フックＨ２は、構造体Ａ２に対して、横桟Ｂ２に両係止部１５，１５を係止すると共に、本体部１３の下部を下段の横桟Ｂ２に当接させた状態で装着され、水平状態となった可動杆２に商品を吊下げる。
【００２７】
図３は、本発明の商品陳列用フックのさらに他の実施形態を説明する図である。なお、先の実施形態と同一の構成部位は、同一符号を付して詳細な説明を省略する。
【００２８】
図示の商品陳列用フックＨ３は、多数の穴ｈを縦横に所定間隔で配列させた構造体Ａ３に装着するものであって、先の実施形態と同等の固定杆１や可動杆２を備えており、構造体Ａ３への取付具Ｄ３のみが異なる。
【００２９】
すなわち、図示の取付具Ｄ３は、細い金属棒から成るものであって、Ｕ字形状に曲成した本体部１３と、本体部１３の中間に掛け渡した支持部１４を備え、本体部１３の上部両側に、背面側へ屈曲させた係止部１６，１６を有している。これに対して、固定杆１の基端部には、下方へ折り曲げた結合部１Ａが設けてある。そして、取付具Ｄ３は、支持部１４の背面側及び本体部１３の下部正面側に、固定杆１の結合部１Ａを係合して同結合部１Ａを溶接等で固定する。
【００３０】
上記の取付具Ｄ３を備えた商品陳列用フックＨ２は、構造体Ａ３に対して、横に隣接する二つの穴ｈ，ｈに両係止部１６，１６を通し、両係止部１６，１６を構造体Ａ３の背面に係止すると共に、本体部１３を構造体Ａ３の正面に当接させた状態で装着され、水平に保持した可動杆２に商品を吊下げる。
【００３１】
図４は、本発明の商品陳列用フックのさらに他の実施形態を説明する図である。なお、先の実施形態と同一の構成部位は、同一符号を付して詳細な説明を省略する。
【００３２】
図示の商品陳列用フックＨ４は、横桟Ｂを多段に有する構造体Ａ１に装着するものであって、構造体Ａに装着して水平に張り出す固定杆１と、固定杆１の外側に同軸状に装着して軸線方向に往復動自在な可動杆４２を備え、可動杆４２に商品Ｃを吊下げる。
【００３３】
固定杆１は、丸棒状の部材から成るものであって、先端部の下側に、突部２１を有すると共に、基端部に、下向きに開放した取付具Ｄ１を有しており、基端部近傍に、可動杆４２の基端部が当接する大径状の位置決め部２２を有している
【００３４】
また、商品陳列用フックＨ４は、固定杆１が、その上側に、支持杆２３を平行に備えている。固定杆１及び支持杆２３は、双方の間隔を決定する垂直部２４により、夫々の基端部で一体化してある。つまり、固定杆１及び支持杆２３は、一本の丸棒状部材を折り曲げることで簡単に成形することができる。
【００３５】
支持杆２３は、先端部近傍に上方への屈曲部２５を有すると共に、先端部には、商品名や価格を表示するための表示プレート２６が、図示しない角度調整機構を介して取付けてある。
【００３６】
可動杆４２は、固定杆１を挿入する軸孔４３を有すると共に、軸孔４３を形成した範囲内に、下方へ開放されたスリット４４が軸線方向に沿って形成してあり、基端部の上側には、商品Ｃの後方移動を阻止する突起状のストッパ４５が設けてある。
【００３７】
そして、可動杆４２は、固定杆１の外側に同軸状に装着して軸線方向に摺動自在となり、この際、スリット４４内に固定杆１の突部２１が入り込んだ状態となる。また、この実施形態では、突部２１とスリット４４が、固定杆１に対して可動杆４２の軸線回りの回転を阻止する回転規制手段を構成しており、さらに、突部２１とスリット４４の基端部が、固定杆１に対して可動杆４２の前進限を決定する前進規制手段を構成している。
【００３８】
上記構成を備えた商品陳列用フックＨ４は、図４（ａ）に示すように、固定杆１の位置決め部２２と可動杆４２の基端部とが当接して同可動杆４２の後退限を決定し、可動杆４２に複数の商品Ｃを吊下げた状態で陳列している。
【００３９】
また、商品陳列用フックＨ４は、陳列商品Ｃが減って補充が必要になったときには、図４（ｂ）に示すように、可動杆４２を引き出せば良い。この際、可動杆４２は、突部２１とスリット４４との係合により軸線方向に案内されると共に、軸線回りの回転が阻止される。そして、可動杆４２は、突部２１とスリット４４の基端部との当接により前進限が決定され、これと同時に固定杆１からの脱落が防止される。この商品陳列用フックＨ４にあっても、先の実施形態と同様の効果を得ることができる。
【００４０】
図５は、本発明の商品陳列用フックのさらに他の実施形態を説明する図である。なお、先の実施形態と同一の構成部位は、同一符号を付して詳細な説明を省略する。
【００４１】
図示の商品陳列用フックＨ５は、横桟Ｂを多段に有する構造体Ａ１に装着するものであって、構造体Ａに装着して水平に張り出す固定杆１と、固定杆１の外側に同軸状に装着して軸線方向に往復動自在な可動杆５２を備え、可動杆５２に商品Ｃを吊下げる。
【００４２】
固定杆１は、丸棒状の部材から成るものであって、先の実施形態における突部（図４中の符号２１）が無いものとなっている。
【００４３】
可動杆５２は、固定杆１を挿入する軸孔４３を有すると共に、先の実施形態におけるスリット（図４中の符号４４）が無く、基端部の上側には、支持杆２３に摺動自在に係合する係合プレート５３が設けてある。
【００４４】
この実施形態では、支持杆２３と係合プレート５３が、固定杆１に対して可動杆５２の軸線回りの回転を阻止する回転規制手段を構成しており、さらに、支持杆２３の屈曲部２５と係合プレート５３が、固定杆１に対して可動杆５２の前進限を決定する前進規制手段を構成している。また、係合プレート５３が、商品Ｃの後方移動を阻止するストッパを兼用している。なお、屈曲部２５が無い支持杆２３の場合には、表示プレート２６を前進規制手段に適用することもできる。
【００４５】
上記構成を備えた商品陳列用フックＨ５は、図５（ａ）に示すように、固定杆１の位置決め部２２と可動杆５２の基端部とが当接して同可動杆５２の後退限を決定し、可動杆５２に複数の商品Ｃを吊下げた状態で陳列している。
【００４６】
また、商品陳列用フックＨ５は、陳列商品Ｃが減って補充が必要になったときには、図５（ｂ）に示すように、可動杆５２を引き出せば良い。この際、可動杆５２は、支持杆２３と係合プレート５３との係合により軸線方向に案内されると共に、軸線回りの回転が阻止される。そして、可動杆５２は、支持杆２３の屈曲部２５と係合プレート５３との当接により前進限が決定され、これと同時に固定杆１からの脱落が防止される。この商品陳列用フックＨ５にあっても、先の実施形態と同様の効果を得ることができる。
【００４７】
なお、本発明の商品陳列用フックは、その構成が上記各実施形態に限定されるものではなく、本発明の要旨を逸脱しない範囲で、構成の細部を適宜変更したり各実施形態の構成を組み合わせたりすることが可能である。例えば、固定杆を角棒とし、可動杆の軸孔を矩形断面にすることで、可動杆の軸線回りの回転を阻止することもできる。また、構造体の形態に応じて様々な取付具を採用することが可能である。
【図面の簡単な説明】
【００４８】
【図１】本発明の商品陳列用フックの一実施形態を説明する分解状態の側面図（ａ），先端部材の平面図（ｂ）、可動杆の断面図（ｃ）、商品の上部を説明する正面図（ｄ）、及び商品陳列用フックの側面図（ｅ）である。
【図２】本発明の商品陳列用フックの他の実施形態を説明する側面図（ａ）、及び取付具の正面図（ｂ）である。
【図３】本発明の商品陳列用フックのさらに他の実施形態を説明する側面図（ａ）、及び取付具の正面図（ｂ）である。
【図４】本発明の商品陳列用フックのさらに他の実施形態を説明する断面図（ａ）、及び可動杆を引き出した状態を示す断面図（ｂ）である。
【図５】本発明の商品陳列用フックのさらに他の実施形態を説明する断面図（ａ）、及び可動杆を引き出した状態を示す断面図（ｂ）である。
【符号の説明】
【００４９】
Ａ１〜Ａ３  構造体
Ｃ          商品
Ｈ１〜Ｈ５  商品陳列用フック
１          固定杆
２          可動杆
４          突部（回転規制手段、前進規制手段）
６          スリット（回転規制手段）
７          ストッパ（前進規制手段）
２１        突部（回転規制手段、前進規制手段）
２３        支持杆（回転規制手段）
２５        屈曲部（前進規制手段）
４２        可動杆
４４        スリット（回転規制手段、前進規制手段）
４５        ストッパ
５２        可動杆
５３        係合プレート（回転規制手段、前進規制手段、ストッパ）
【図１】
2010042154.tif 000003
【図２】
2010042154.tif 000004
【図３】
2010042154.tif 000005
【図４】
2010042154.tif 000006
【図５】
2010042154.tif 000007